(57)【要約】  【課題】対象装置で生成された駆動音を効果的に消音することができる消音装置を提供することを目的とする。  【解決手段】自動販売機１の背面に形成された排気口２０内に、その短手方向の中央部において長手方向に延びるように保持部材１０１を配置し、この保持部材１０１でマイク１０２及びスピーカ１０３を保持する。マイク１０２に入力されるスピーカ１０３からの音が、排気口２０を通過してマイク１０２に入力される駆動音に対して逆位相となるように音信号を生成することにより、スピーカ１０３からの音を駆動音と干渉させ、当該駆動音を消音する。これにより、マイク１０２及びスピーカ１０３を上記短手方向の中央部に配置して、排気口２０を通過する駆動音をより効果的に消音することができる。【選択図】          図４
2008257312.tif 000002
【特許請求の範囲】
【請求項１】
対象装置の外壁に形成された長方形状の開口部内に、当該開口部の短手方向の中央部において長手方向に延びるように配置され、当該開口部を形成している上記長手方向に対向する内面間に挟持される保持部材と、
上記保持部材に保持され、上記対象装置で生成された駆動音が入力されるマイクと、
上記マイクからの入力信号に基づいて音信号を生成する音信号生成手段と、
上記保持部材に保持され、上記音信号生成手段により生成された音信号に基づく音を出力するスピーカとを備え、
上記音信号生成手段は、上記マイクに入力される上記スピーカからの音が、上記マイクに入力される上記駆動音に対して逆位相となるように音信号を生成することを特徴とする消音装置。
【請求項２】
上記スピーカが２つ以上設けられたことを特徴とする請求項１に記載の消音装置。
【請求項３】
上記２つ以上のスピーカと上記マイクとの距離がそれぞれ同一であることを特徴とする請求項２に記載の消音装置。
【請求項４】
上記２つ以上のスピーカは、上記マイクを挟んで対称配置されていることを特徴とする請求項２に記載の消音装置。
【発明の詳細な説明】
【技術分野】
【０００１】
本発明は、消音装置に係り、さらに詳しくは、自動販売機などの対象装置から発生する駆動音を消音するための消音装置に関する。
【背景技術】
【０００２】
通常、飲料などの商品が収容される自動販売機には、商品を冷却するための冷却装置が備えられている。この冷却装置は、一般的に、機内の空気を冷却するための冷却器、冷却器へ供給される冷媒を圧縮する圧縮機、圧縮された冷媒を液化させる凝縮器、及び、圧縮機や凝縮器を冷却するために回転駆動される送風機などが備えられている。
【０００３】
この種の自動販売機の筐体内には、例えば、その中央部から上部に商品を収容するための商品収容部が形成されており、上記冷却装置は筐体内の下部に配置されている。通常、筐体の下部には、前面に吸気口、背面に排気口が形成されており、送風機が駆動されることにより、機外の空気が吸気口から吸い込まれ、圧縮機や凝縮器の周囲を通って排気口から排出されるようになっている。
【０００４】
このような吸気口や排気口は、機外の空気を機内に循環させるために必要不可欠であるものの、上記のような筐体内に備えられた各種部品から発生する駆動音が、吸気口や排気口から漏洩するといった問題があった。そのため、このような自動販売機をホテルや病院などの静かな屋内に設置したときには、騒音の問題が深刻化する場合があった。
【０００５】
このような問題を解決するために、従来から、消音部材を設けることにより機内から駆動音が漏洩するのを防止するといった技術が提案されている（例えば、特許文献１）。
【特許文献１】特開２００３−２８１６１３号公報
【発明の開示】
【発明が解決しようとする課題】
【０００６】
しかしながら、消音部材を用いた場合には、周波数の高い音は良好に消音できるものの、周波数の低い音を消音するのが困難であるいう問題があった。特に、圧縮機や送風機から発生する駆動音は、周波数が比較的低く、消音部材を用いても十分に消音できない場合があった。そこで、自動販売機の筐体内に消音装置を設けて、筐体内で発生する駆動音を消音することが考えられるが、その設置位置によっては駆動音を良好に消音できない場合があった。
【０００７】
本発明は、上記の事情に鑑みてなされたものであり、対象装置で生成された駆動音を効果的に消音することができる消音装置を提供することを目的とする。
【課題を解決するための手段】
【０００８】
第１の本発明による消音装置は、対象装置の外壁に形成された長方形状の開口部内に、当該開口部の短手方向の中央部において長手方向に延びるように配置され、当該開口部を形成している上記長手方向に対向する内面間に挟持される保持部材と、上記保持部材に保持され、上記対象装置で生成された駆動音が入力されるマイクと、上記マイクからの入力信号に基づいて音信号を生成する音信号生成手段と、上記保持部材に保持され、上記音信号生成手段により生成された音信号に基づく音を出力するスピーカとを備え、上記音信号生成手段が、上記マイクに入力される上記スピーカからの音が、上記マイクに入力される上記駆動音に対して逆位相となるように音信号を生成するように構成される。
【０００９】
このような構成によれば、マイクに入力されるスピーカからの音が、マイクに入力される対象装置で生成された駆動音に対して逆位相となるように音信号を生成することにより、スピーカからの音を駆動音と干渉させ、当該駆動音を消音することができる。すなわち、スピーカから出力された音が、マイクに到達する位置において対象装置で生成された駆動音に対して逆位相となり、音波干渉によって駆動音が消音される。これにより、消音部材などを用いて対象装置で生成された駆動音を受動的に消音するのではなく、駆動音に対応する位相の音を積極的に発生させて駆動音を消音することができる。このように、音波干渉を用いて駆動音を消音するような構成を採用することにより、消音部材を用いるような構成とは異なり、対象装置で生成された駆動音を効果的に消音することができる。
【００１０】
特に、対象装置の外壁に形成された開口部内に、その短手方向の中央部において長手方向に延びるように保持部材を配置し、この保持部材でマイク及びスピーカを保持することにより、マイク及びスピーカを上記短手方向の中央部に配置することができる。これにより、開口部における保持部材に対して上記短手方向の両側を通過する駆動音が、それぞれマイクへ均等に入力されるとともに、スピーカから出力された音が、上記短手方向の両側を通過する駆動音に対して均等に干渉するので、開口部を通過する駆動音をより効果的に消音することができる。
【００１１】
さらに、対象装置の開口部内に配置した保持部材でスピーカを保持することにより、当該開口部の内外の境界で生じる反射波の影響を抑制し、スピーカからの音を対象装置で生成された駆動音と良好に干渉させ、当該駆動音をさらに効果的に消音することができる。
【００１２】
第２の本発明による消音装置は、上記構成に加えて、上記スピーカが２つ以上設けられて構成される。このような構成によれば、２つ以上のスピーカからより広い範囲で音を出力し、その音を対象装置で生成された駆動音と干渉させることができるので、当該駆動音をより効果的に消音することができる。
【００１３】
第３の本発明による消音装置は、上記構成に加えて、上記２つ以上のスピーカと上記マイクとの距離がそれぞれ同一となるように構成される。このような構成によれば、各スピーカとマイクとの距離を同一にすることができるので、各スピーカから同一の音を出力して対象装置で生成された駆動音と干渉させることにより、当該駆動音を良好に消音することができる。これにより、音信号生成手段が各スピーカへ出力する音信号を生成する処理を簡略化することができる。
【００１４】
第４の本発明による消音装置は、上記構成に加えて、上記２つ以上のスピーカが、上記マイクを挟んで対称配置されて構成される。このような構成によれば、マイクを挟んで対称配置された２つ以上のスピーカから音を出力することにより、より広い範囲でスピーカから音を出力し、その音を対象装置で生成された駆動音と干渉させることができるので、当該駆動音をより効果的に消音することができる。
【発明の効果】
【００１５】
本発明によれば、マイクに入力されるスピーカからの音が、マイクに入力される対象装置で生成された駆動音に対して逆位相となるように音信号を生成することにより、スピーカからの音を駆動音と干渉させ、当該駆動音を消音することができるので、対象装置で生成された駆動音を効果的に消音することができる。また、マイク及びスピーカを開口部の短手方向の中央部に配置することができるので、開口部を通過する駆動音をより効果的に消音することができる。
【発明を実施するための最良の形態】
【００１６】
図１は、本発明の実施の形態による自動販売機１の一構成例を示した図であり、（ａ）は正面図、（ｂ）は側面図を示している。図２は、図１の自動販売機１の開閉扉３を開いた状態を示した正面図である。図３は、図１の自動販売機１の概略側断面図である。図４は、図１の自動販売機１の背面図であり、下部の構成のみを示している。この自動販売機１は、缶に封入された飲料などを商品として販売する自動販売機であり、縦長の直方体形状からなる筐体２内に多数の商品を収容している。以下では、図１（ｂ）における左側を前方、右側を後方、手前側を右方、奥側を左方として説明することとする。
【００１７】
筐体２の前面には、当該前面全体を開放する前面開口２Ａが形成されており、この前面開口２Ａが筐体２に対して開閉可能に取り付けられた開閉扉３により覆われている。すなわち、開閉扉３は、閉じられた状態で筐体２の前面を形成している。筐体２の底面には、４つの角部にそれぞれ脚部４が取り付けられている。これらの脚部４は、筐体２の底面に上下方向へ進退可能にねじ込まれている。当該自動販売機１を設置する際には、筐体２に対する各脚部４のねじ込み量を調整し、各脚部４の底面を接地させることにより、地面に対する筐体２の高さを調整することができる。
【００１８】
開閉扉３の前面中央部には、商品を購入しようとする利用者が貨幣を投入する際に使用する貨幣投入領域５が形成されている。この貨幣投入領域５には、硬貨を投入するための硬貨投入口５Ａと、紙幣を投入するための紙幣投入口５Ｂと、投入された貨幣の返却を指示するための返却レバー５Ｃと、投入された貨幣の合計金額を表示する投入金額表示部５Ｄとが備えられている。貨幣投入後に返却レバー５Ｃを操作した場合、紙幣は紙幣投入口５Ｂから返却され、硬貨は開閉扉３の下部に形成されている硬貨返却口６から返却される。
【００１９】
開閉扉３の前面上部には、この自動販売機１で販売可能な商品の見本が展示されたディスプレイ領域７が形成されている。このディスプレイ領域７には、展示されている各見本に対応付けられた購入ボタン７Ａが設けられており、利用者は、硬貨投入口５Ａ又は紙幣投入口５Ｂから貨幣を投入した後、いずれかの購入ボタン７Ａを操作することにより、その購入ボタン７Ａに対応する商品の購入を指示することができる。購入が指示された商品は、筐体２内の下部に送り出され、開閉扉３の下部に形成された横長形状の商品取出口８から取り出すことができる。なお、購入を指示した商品の金額が投入金額よりも低い場合には、その差額分の釣銭が硬貨返却口６から返却されるようになっている。
【００２０】
開閉扉３の背面中央部には、前面の貨幣投入領域５の裏側に対応する位置に、貨幣処理ユニット９が設けられている。この貨幣処理ユニット９は、硬貨投入口５Ａ及び紙幣投入口５Ｂから投入される貨幣を貯留するとともに、必要に応じて硬貨返却口６又は紙幣投入口５Ｂから貨幣を返却する処理を行うための機構である。開閉扉３の背面中央部における貨幣処理ユニット９の側方には制御ユニット１０が設けられ、この制御ユニット１０に備えられているプロセッサによって、この自動販売機１の動作が制御されるようになっている。
【００２１】
筐体２内には、その中央部から上部にわたる領域に商品を収容するための商品収容部１１が形成されており、商品収容部１１内の商品を冷却するための冷却装置１２が筐体２内の下部に配置されている。商品収容部１１は、それぞれ縦長形状からなる冷却商品収容部１１Ａ及び加熱商品収容部１１Ｂが左右に並べて配置されることにより形成されている。冷却商品収容部１１Ａの下方には、当該冷却商品収容部１１Ａ内の空気を冷却するための冷却器１３が配置されている。一方、加熱商品収容部１１Ｂの下方には、当該加熱商品収容部１１Ｂ内の空気を加熱するための加熱器１４が配置されている。筐体２内の前側には、商品収容部１１から商品取出口８側へ商品を排出するための商品排出口１５が形成されている。商品排出口１５は複数形成されており、各商品排出口１５が冷却商品収容部１１Ａ又は加熱商品収容部１１Ｂに対応付けられている。
【００２２】
冷却装置１２は、冷却商品収容部１１Ａ内に収容されている商品を冷却するためのものであり、上記冷却器１３の他、冷却器１３へ供給される冷媒を圧縮する圧縮機１６、圧縮された冷媒を液化させる凝縮器１７、及び、圧縮機１６や凝縮器１７を冷却するために回転駆動される送風機１８などが備えられている。圧縮機１６は、交流電圧が供給される交流モータによって回転駆動される。一方、送風機１８は、直流電圧が供給される直流モータによって回転駆動される。
【００２３】
冷却器１３、圧縮機１６及び凝縮器１７は、配管を介して互いに連通しており、これらの各部に冷媒を循環させることにより、冷却器１３を介して冷却商品収容部１１Ａ内の空気を冷却することができる。より具体的には、冷却装置１２が駆動されると、冷媒が圧縮機１６で圧縮されて高圧ガスとなった後、凝縮器１７で冷却されることにより液化される。そして、液化された冷媒が減圧され、冷却器１３において蒸発することにより、いわゆる蒸発潜熱によって冷却器１３が冷却される。液化した冷媒は、圧縮機１６で再び圧縮され、凝縮器１７、冷却器１３へと循環される。
【００２４】
開閉扉３の底部には、その両端部が開閉扉３の左右両端部の近傍に位置する横長形状の吸気口１９が形成されている。一方、筐体２の背面底部には、その少なくとも一部が吸気口１９に対して前後方向に対向するように、横長形状の排気口２０が形成されている。筐体２内における商品収容部１１の下方には仕切板２１が設けられており、この仕切板２１の下方の領域が、吸気口１９及び排気口２０を開口部として有し、筐体２内を前後方向に貫通するダクト状空間２２を形成している。
【００２５】
ダクト状空間２２内には、冷却装置１２の構成部品のうち、凝縮器１７、送風機１８及び圧縮機１６が配置されている。より具体的には、凝縮器１７、送風機１８及び圧縮機１６が、筐体２内の底部に前後方向に向かってこの順序で並べて配置されている。これにより、凝縮器１７、送風機１８及び圧縮機１６が、それぞれ吸気口１９及び排気口２０に対して前後方向に対向している。一方、冷却器１３は、ダクト状空間２２の上方に配置されている。
【００２６】
冷却装置１２が駆動されているときには、送風機１８が回転駆動されることにより、機外の空気が吸気口１９から機内に送り込まれる。そして、機内に送り込まれた空気が、ダクト状空間２２内において凝縮器１７及び圧縮機１６の周囲を通り、排気口２０から機外へ送り出されることにより、凝縮器１７及び圧縮機１６が冷却される。
【００２７】
排気口２０は、横長の長方形状からなり、その内側の空間に消音装置１００が設けられている。この消音装置１００は、細長い棒状の保持部材１０１を備えており、この保持部材１０１にマイク１０２及び２つのスピーカ１０３が保持されている。保持部材１０１は、排気口２０の長手方向である左右方向の幅と同一の長さを有しており、排気口２０内に左右方向に延びるように設けられることにより、排気口２０を形成している左内面及び右内面間に挟持されている。
【００２８】
保持部材１０１は、排気口２０の短手方向である上下方向の中央部に設けられている。すなわち、保持部材１０１の上面と排気口２０を形成している上内面との距離ｄ１が、保持部材１０１の下面と排気口２０を形成している下内面との距離ｄ２と等しくなっている。これにより、排気口２０が、保持部材１０１の上方に形成された第１排気口２０Ａと、保持部材１０１の下方に形成された第２排気口２０Ｂとに分割されており、第１排気口２０Ａ及び第２排気口２０Ｂは、それぞれ同一の面積を有する横長の開口部として形成されている。図３に示すように、保持部材１０１は、その背面が筐体２の背面と面一になるように配置されている。
【００２９】
マイク１０２は、保持部材１０１の背面における左右方向の中央部に設けられることにより、排気口２０の中心に位置している。一方、２つのスピーカ１０３は、マイク１０２を挟んで保持部材１０１の背面における左右両端部に設けられている。２つのスピーカ１０３は、マイク１０２に対して左右に対称配置され、これらのマイク１０２及びスピーカ１０３が左右方向に一直線状に並んでいる。なお、２つのスピーカ１０３は、それぞれ後方に向かって取り付けられている。また、マイク１０２は、その後方が開放されることにより、後方から音が入力されるようになっている。
【００３０】
筐体２内の冷却装置１２から発生してダクト状空間２２内を後方へ向かう駆動音は、排気口２０から機外に漏洩し、筐体２の外部からマイク１０２に入力される。また、２つのスピーカ１０３からの音は、それぞれ排気口２０から後方に向かって機外に出力され、筐体２の外部からマイク１０２に入力される。
【００３１】
本実施の形態の自動販売機１では、筐体２内で生成された駆動音に対応する音をスピーカ１０３から出力するとともに、そのスピーカ１０３からの出力音をマイク１０２からの入力信号に基づいてフィードバック制御することにより、いわゆるアクティブ消音によって、筐体２内で生成された駆動音を消音することができるようになっている。
【００３２】
図５は、この自動販売機１において行われるアクティブ消音の原理について説明するための模式図である。ダクト状空間２２内に配置された圧縮機１６や送風機１８から発生した駆動音は、ダクト状空間２２内を前後方向に向かって進行する。ダクト状空間２２内を後方に向かって進行する駆動音は、図中に矢印で示すように排気口２０から機外に向かい、機外の空間を介してマイク１０２に入力される。
【００３３】
制御ユニット１０には、マイク１０２からの入力信号に基づいて音信号を生成する音信号生成手段としての位相調整増幅回路１０Ａが備えられている。消音装置１００に備えられた２つのスピーカ１０３からは、位相調整増幅回路１０Ａで生成された音信号に基づく音がそれぞれ同じ音量で出力され、スピーカ１０３から出力された音が機外の空間を介してマイク１０２に入力される。
【００３４】
位相調整増幅回路１０Ａは、マイク１０２から入力された信号に基づいて、特定周波数の信号の位相をずらす処理を行うとともに、振幅を増大させる処理を行うことによって、フィードバック制御を行う。より具体的には、マイク１０２からの入力信号のうち、スピーカ１０３からの出力音に対応する入力信号が除去されることにより、駆動音に対応する入力信号が抽出される。そして、特定周波数の駆動音に対応する入力信号に対して、マイク１０２に入力されるスピーカ１０３からの音が逆位相となるように位相が調整されるとともに、マイク１０２に入力されるスピーカ１０３からの音が同程度の振幅となるように振幅が増大される。
【００３５】
ここで、ダクト状空間２２内で音が発生した場合には、そのダクト状空間２２内に一次元の音場が形成される。このような一次元の音場では、下記式（１）のような条件を満たす場合に、ダクト状空間２２内を伝播する音波を平面波とみなすことができ、逆位相の平面波の重ね合わせによって良好に消音を行うことができる。
ｄ<<λ／２    ・・・式（１）
ｄ：ダクトの内径    λ：音の波長
【００３６】
圧縮機１６は交流モータによって駆動されるため、圧縮機１６の駆動音は、供給される交流商用電源の周波数により異なる周波数においてピークが発生する。より具体的には、圧縮機１６の駆動音は、交流商用電源の周波数に対してｎ倍（ｎは自然数）の周波数においてピークが発生する。このような圧縮機１６から発生する駆動音のうち、比較的低い周波数であるｎ＝１及びｎ＝２の周波数では、駆動音が特に耳障りに聞こえる傾向がある。つまり、圧縮機１６は、５０〜１２０Ｈｚ程度の範囲で耳障りな駆動音を発生する。
【００３７】
一方、送風機１８は、直流モータによって駆動されるため、特定の周波数において駆動音のピークが発生する。具体的には、送風機１８の駆動音は、送風機１８に備えられた羽根の数と回転数に依存しており、本実施の形態では、１４０Ｈｚ程度でピークが発生するようになっている。このように、比較的低い周波数でピークが発生する送風機１８からの駆動音は、圧縮機１６以外の他の構成部品からの駆動音に比べて、特に耳障りに聞こえる傾向がある。また、本実施の形態のように、圧縮機１６及び送風機１８からそれぞれ発生する駆動音の周波数のピークが近接している場合には、駆動音がより一層耳障りに聞こえる傾向がある。
【００３８】
上記のように、圧縮機１６及び送風機１８から発生する耳障りな駆動音は、５０〜１４０Ｈｚ程度の周波数帯に分布している。このような周波数帯に対応する音の波長λは、２．４〜６．８ｍ程度である。一方、ダクト状空間２２の内径ｄは、数十ｃｍである。これらの数値は、上記式（１）の条件を満たしており、ダクト状空間２２内を伝播する圧縮機１６及び送風機１８からの音波を平面波とみなすことができるので、逆位相の平面波の重ね合わせによって圧縮機１６及び送風機１８からの駆動音を良好に消音することができる。
【００３９】
図６は、逆位相の平面波の重ね合わせによって駆動音を消音する態様について説明するための波形図であり、（ａ）はマイク１０２に入力される圧縮機１６又は送風機１８からの駆動音の波形、（ｂ）はマイク１０２に入力されるスピーカ１０３からの音の波形、（ｃ）はこれらの音の合成波の波形を示している。圧縮機１６又は送風機１８から発生する駆動音は、排気口２０を介して機外に漏洩し、図６（ａ）に示すような波形でマイク１０２に入力される。
【００４０】
一方、スピーカ１０３から出力される音は、図６（ｂ）に示すように、マイク１０２に入力されるときに圧縮機１６又は送風機１８からの特定周波数の駆動音に対して逆位相となる。したがって、圧縮機１６又は送風機１８からの特定周波数の駆動音とスピーカ１０３から出力される音とは、図６（ｃ）に示すようにマイク１０２に入力される際に互いに重ね合わせられて打ち消し合い、これにより当該周波数の駆動音が消音される。
【００４１】
本実施の形態では、マイク１０２に入力されるスピーカ１０３からの音が、マイク１０２に入力される自動販売機１で生成された駆動音に対して逆位相となるように音信号を生成することにより、スピーカ１０３からの音を駆動音と干渉させ、当該駆動音を消音することができる。すなわち、スピーカ１０３から出力された音が、マイク１０２に到達する位置において自動販売機１で生成された駆動音に対して逆位相となり、音波干渉によって駆動音が消音される。これにより、消音部材などを用いて自動販売機１で生成された駆動音を受動的に消音するのではなく、駆動音に対応する位相の音を積極的に発生させて駆動音を消音することができる。このように、音波干渉を用いて駆動音を消音するような構成を採用することにより、消音部材を用いるような構成とは異なり、自動販売機１で生成された駆動音を効果的に消音することができる。
【００４２】
特に、自動販売機１の背面に形成された排気口２０内に、その短手方向の中央部において長手方向に延びるように保持部材１０１を配置し、この保持部材１０１でマイク１０２及びスピーカ１０３を保持することにより、マイク１０２及びスピーカ１０３を上記短手方向の中央部に配置することができる。これにより、第１排気口２０Ａ及び第２排気口２０Ｂをそれぞれ通過する駆動音が、それぞれマイク１０２へ均等に入力されるとともに、スピーカ１０３から出力された音が、第１排気口２０Ａ及び第２排気口２０Ｂをそれぞれ通過する駆動音に対して均等に干渉するので、排気口２０を通過する駆動音をより効果的に消音することができる。
【００４３】
通常、排気口２０のような狭い空間から自動販売機１の後方の広い空間へ音波が通過する際には、その境界においてインピーダンスが不連続となり、進行方向に対して逆方向の反射波が生じる。そこで、本実施の形態では、自動販売機１の排気口２０内に配置した保持部材１０１でスピーカ１０３を保持することにより、当該排気口２０の内外の境界で生じる反射波の影響を抑制し、スピーカ１０３からの音を自動販売機１で生成された駆動音と良好に干渉させ、当該駆動音をさらに効果的に消音することができる。
【００４４】
また、本実施の形態では、マイク１０２を挟んで両側に設けられた２つのスピーカ１０３から音を出力することにより、上記長手方向のより広い範囲でスピーカ１０３から音を出力し、その音を自動販売機１で生成された駆動音と干渉させることができるので、当該駆動音をより効果的に消音することができる。
【００４５】
また、マイク１０２及び２つのスピーカ１０３を上記長手方向に一直線状に並べることにより、保持部材１０１を上記長手方向に沿って細長い形状にすることができる。これにより、自動販売機１の排気口２０を形成している上記長手方向に対向する内面間に保持部材１０１を挟持したときに、保持部材１０１によって排気口２０における空気の流れが遮られるのを抑制できる。
【００４６】
さらに、本実施の形態では、２つのスピーカ１０３が、マイク１０２に対して対称配置されているので、各スピーカ１０３とマイク１０２との距離を同一にすることができる。したがって、各スピーカ１０３から同一の音を出力して自動販売機１で生成された駆動音と干渉させることにより、当該駆動音を良好に消音することができる。これにより、位相調整増幅回路１０Ａが各スピーカ１０３へ出力する音信号を生成する処理を簡略化することができる。
【００４７】
以上の実施の形態では、消音装置１００の保持部材１０１の背面に、１つのマイク１０２と２つのスピーカ１０３が設けられた構成について説明したが、このような構成に限らず、例えばマイクが３つ、スピーカが２つ設けられた構成などであってもよい。この場合、マイクとスピーカが交互に並ぶような構成であることが好ましく、それらのマイク及びスピーカの距離が等しければより好ましい。また、それらのマイク及びスピーカが左右方向に対称配置されていれば、自動販売機１からの駆動音を左右均等に消音することができるので、より良好に駆動音を消音することができる。なお、マイク及びスピーカは、左右方向に一直線状に並ぶような構成に限らず、左右方向に対して傾斜する方向に並ぶような構成であってもよいし、２つ以上のスピーカが備えられている場合に、それらのスピーカを結ぶ直線に対してずれた位置にマイクが設けられた構成であってもよい。また、スピーカが１つだけ設けられたような構成であってもよい。
【００４８】
また、以上の実施形態では、消音装置１００が排気口２０内に設けられた構成について説明したが、このような構成に限らず、消音装置１００が筐体２の背面に形成された排気口２０以外の開口部内に設けられた構成であってもよいし、筐体２の背面以外の外壁に形成された開口部内に設けられた構成であってもよい。また、消音装置１００が設けられる開口部は、左右方向に長い長方形状に形成された構成に限らず、上下方向などの他の方向に長い長方形状に形成されていてもよい。
【００４９】
さらに、以上の実施の形態では、自動販売機１に備えられた制御ユニット１０により音信号生成手段が構成される場合について説明したが、このような構成に限らず、音信号生成手段を構成する制御装置が保持部材１０１に保持されることにより、消音装置が一体的な消音ユニットとして構成されていてもよい。
【００５０】
また、以上の実施の形態では、自動販売機１に消音装置１００を適用する場合について説明したが、このような構成に限らず、本発明は、自動販売機１の他にも、空調機や送風機などの各種対象装置に適用可能である。
【図面の簡単な説明】
【００５１】
【図１】本発明の実施の形態による自動販売機の一構成例を示した図であり、（ａ）は正面図、（ｂ）は側面図を示している。
【図２】図１の自動販売機の開閉扉を開いた状態を示した正面図である。
【図３】図１の自動販売機の概略側断面図である。
【図４】図１の自動販売機の背面図であり、下部の構成のみを示している。
【図５】この自動販売機において行われるアクティブ消音の原理について説明するための模式図である。
【図６】逆位相の平面波の重ね合わせによって駆動音を消音する態様について説明するための波形図であり、（ａ）はマイクに入力される圧縮機又は送風機からの駆動音の波形、（ｂ）はマイクに入力されるスピーカからの音の波形、（ｃ）はこれらの音の合成波の波形を示している。
【符号の説明】
【００５２】
１  自動販売機
２  筐体
１０  制御ユニット
１０Ａ  位相調整増幅回路
２０  排気口
２０Ａ  第１排気口
２０Ｂ  第２排気口
２２  ダクト状空間
１００  消音装置
１０１  保持部材
１０２  マイク
１０３  スピーカ
【図１】
2008257312.tif 000003
【図２】
2008257312.tif 000004
【図３】
2008257312.tif 000005
【図４】
2008257312.tif 000006
【図５】
2008257312.tif 000007
【図６】
2008257312.tif 000008